(57)【要約】【課題】歯科用シリンジの小型化を図る。【解決手段】一方向２Ａに向けて弁部材１１０および進退部材５００を投影した場合に（一方向２Ａと直交する仮想平面Ｈに対して弁部材１１０および進退部材５００を投影した場合に）、弁部材１１０の一部が、進退部材５００の外周部５００Ｅよりも外側に位置する。これにより、進退部材５００を介さずに弁部材１１０を操作できるようになる。また、この場合、進退部材５００から弁部材１１０へ操作力を伝えるための部材を設けずにすみ、歯科用シリンジ１の小型化を図れる。【選択図】図６
2018175280.tif 000002
【特許請求の範囲】
【請求項１】
液体流路内の空間を、液体の流れ方向上流側に位置する上流側空間と液体排出口につながる下流側空間とに仕切るとともに、操作者からの操作力を弁部材が受けて当該弁部材が一方向へ移動することで当該上流側空間から当該下流側空間への液体の移動が行なわれる弁機構と、
前記一方向において前記弁部材の下流側端部よりも上流側に配置されるとともに、前記下流側空間に対して進退可能に設けられ、操作者からの操作力を受けて当該一方向へ移動して当該下流側空間の容積を減少させ、当該一方向とは反対方向へ移動して当該下流側空間の容積を増加させる進退部材と、
を備え、
操作者からの操作力を、前記進退部材を介さずに前記弁部材に伝えることができるように構成された歯科用シリンジ。
【請求項２】
前記弁部材は、弁部材本体と、当該弁部材本体の外周部に取り付けられた環状部材とを備え、
前記液体流路の内周面に対して前記環状部材の外周部が接触することで、前記上流側空間から前記下流側空間への液体の流れが規制される請求項１に記載の歯科用シリンジ。
【請求項３】
前記弁機構および前記進退部材を支持するとともに前記液体流路が内部に形成された支持部材をさらに備え、
前記弁機構および前記進退部材が、前記支持部材の外表面から突出していない請求項１に記載の歯科用シリンジ。
【請求項４】
操作者からの操作力を受けて変位し前記進退部材および前記弁部材を前記一方向に向けて押圧する押圧部材をさらに備え、
前記押圧部材が前記進退部材を押圧した後に、当該押圧部材が前記弁部材を押圧する請求項１に記載の歯科用シリンジ。
【請求項５】
前記押圧部材には段差が設けられ、当該段差によって、前記進退部材が先に押圧され前記弁部材が後に押圧される請求項４に記載の歯科用シリンジ。
【請求項６】
液体流路内の空間を、液体の流れ方向上流側に位置する上流側空間と液体排出口につながる下流側空間とに仕切るとともに、弁部材が一方向へ移動することで当該上流側空間から当該下流側空間への液体の移動が行なわれる弁機構と、
前記一方向において前記弁部材の下流側端部よりも上流側に配置されるとともに、前記下流側空間に対して進退可能に設けられ、当該一方向へ移動して当該下流側空間の容積を減少させ、当該一方向とは反対方向へ移動して当該下流側空間の容積を増加させる進退部材と、
を備え、
前記一方向に向けて前記弁部材および前記進退部材を投影した場合に、当該弁部材の一部が、当該進退部材の外周部よりも外側に位置する歯科用シリンジ。
【請求項７】
前記弁部材は、前記一方向における上流側に上流側端部を有し、前記進退部材は、当該一方向における下流側に下流側端部を有し、
前記弁部材の前記上流側端部よりも、前記進退部材の前記下流側端部の方が、前記一方向において、下流側に位置する請求項６に記載の歯科用シリンジ。
【請求項８】
前記進退部材は、前記一方向における上流側に上流側端部を有し、
前記弁部材の前記上流側端部の前記一方向における位置と、前記進退部材の前記上流側端部の当該一方向における位置とが揃っており、
または、
前記弁部材の前記上流側端部よりも、前記進退部材の前記上流側端部の方が、前記一方向において、下流側に位置する請求項７に記載の歯科用シリンジ。
【請求項９】
前記弁部材は、前記一方向に沿って配置された円筒体により構成され、前記進退部材は、当該円筒体の内部に収容されるとともに当該円筒体の軸方向に沿って進退する請求項６に記載の歯科用シリンジ。
【請求項１０】
前記液体流路内の液体の流れを規制する前記弁機構である液体用弁機構を押圧する押圧部を備え、回転中心を中心に回転し当該液体用弁機構を押圧する液体用押圧部材と、
空気が流れる空気流路と、
前記空気流路を通る空気の流れを規制する空気用弁機構と、
前記空気用弁機構を押圧する押圧部を備え、回転中心を中心に回転し当該空気用弁機構を押圧する空気用押圧部材と、
をさらに備え、
前記液体用押圧部材の前記回転中心と前記押圧部との離間距離と、前記空気用押圧部材の前記回転中心と前記押圧部との離間距離とが異なる請求項６に記載の歯科用シリンジ。
【請求項１１】
前記液体流路に液体を流し前記空気流路に空気を流すと、当該液体流路および当該空気流路のうちの一方の流路の内圧の方が、他方の流路の内圧よりも高くなり、
前記液体用弁機構および前記空気用弁機構のうちの前記一方の流路に設けられた一方の弁機構を押圧する一方の前記押圧部材の前記回転中心と前記押圧部との離間距離の方が、他方の押圧部材の前記回転中心と前記押圧部との離間距離よりも小さい請求項１０に記載の歯科用シリンジ。
【請求項１２】
液体流路内の空間を、液体の流れ方向上流側に位置する上流側空間と液体排出口につながる下流側空間とに仕切るとともに、筒状の弁部材が一方向へ移動することで当該上流側空間から当該下流側空間への液体の移動が行なわれる弁機構と、
前記一方向において前記弁部材の下流側端部よりも上流側に配置されるとともに当該弁部材の内部に収容され、且つ、前記下流側空間に対して進退可能に設けられ、当該一方向へ移動して当該下流側空間の容積を減少させ、当該一方向とは反対方向へ移動して当該下流側空間の容積を増加させる進退部材と、
を備える歯科用シリンジ。
【請求項１３】
液体流路を通る液体の流れを規制する液体用弁機構と、
空気流路を通る空気の流れを規制する空気用弁機構と、
前記液体用弁機構を押圧する押圧部を備え、回転中心を中心に回転し当該液体用弁機構を押圧する液体用押圧部材と、
前記空気用弁機構を押圧する押圧部を備え、回転中心を中心に回転し当該空気用弁機構を押圧する空気用押圧部材と、
を備え、
前記液体用押圧部材の前記回転中心と前記押圧部との離間距離と、前記空気用押圧部材の前記回転中心と前記押圧部との離間距離とが異なる歯科用シリンジ。
【請求項１４】
前記液体流路に液体を流し前記空気流路に空気を流すと、当該液体流路および当該空気流路のうちの一方の流路の内圧の方が、他方の流路の内圧よりも高くなり、
前記液体用弁機構および前記空気用弁機構のうちの前記一方の流路に設けられた一方の弁機構を押圧する一方の前記押圧部材の前記回転中心と前記押圧部との離間距離の方が、他方の押圧部材の前記回転中心と前記押圧部との離間距離よりも小さい請求項１３に記載の歯科用シリンジ。
【請求項１５】
前記液体用弁機構および前記空気用弁機構を支持するとともに前記液体流路および前記空気流路が内部に形成された支持部材をさらに備え、
前記支持部材の長手方向における、前記液体用弁機構の位置と、当該長手方向における、前記空気用弁機構の位置とが異なる請求項１３に記載の歯科用シリンジ。
【請求項１６】
液体流路内の空間を、液体の流れ方向上流側に位置する上流側空間と液体排出口につながる下流側空間とに仕切るとともに、弁部材が一方向へ移動することで当該上流側空間から当該下流側空間への液体の移動が行なわれる弁機構と、
前記一方向において前記弁部材の下流側端部よりも上流側に配置されるとともに、前記下流側空間に対して進退可能に設けられ、当該一方向へ移動して当該下流側空間の容積を減少させ、当該一方向とは反対方向へ移動して当該下流側空間の容積を増加させる進退部材と、
を備え、
前記弁部材は、前記一方向における上流側に上流側端部を有し、前記進退部材は、当該一方向における下流側に下流側端部を有し、
前記弁部材の前記上流側端部よりも、前記進退部材の前記下流側端部の方が、前記一方向において、下流側に位置する歯科用シリンジ。
【請求項１７】
前記進退部材は、前記一方向における上流側に上流側端部を有し、
前記弁部材の前記上流側端部の前記一方向における位置と、前記進退部材の前記上流側端部の当該一方向における位置とが揃っており、
または、
前記弁部材の前記上流側端部よりも、前記進退部材の前記上流側端部の方が、前記一方向において、下流側に位置する請求項１６に記載の歯科用シリンジ。
【請求項１８】
前記弁部材は、前記一方向に沿って配置された円筒体により構成され、前記進退部材は、当該円筒体の内部に収容されるとともに当該円筒体の軸方向に沿って進退する請求項１６に記載の歯科用シリンジ。
【請求項１９】
液体流路の内面の内側に位置する空間を、液体の流れ方向上流側に位置する上流側空間と液体排出口につながる下流側空間とに仕切るとともに、当該下流側空間にその一部が位置する弁部材が移動することで、当該上流側空間から当該下流側空間への液体の移動が行なわれる弁機構と、
前記下流側空間に対して進退可能に設けられ当該下流側空間の容積を増減させる進退部材であって、当該進退を行う際、前記弁部材の前記一部と前記液体流路の前記内面との間に位置する空間に出入りする進退部材と、
を備える歯科用シリンジ。
【請求項２０】
前記弁部材および前記進退部材は、同軸上に配置され、且つ、当該弁部材の外径の方が、当該進退部材の外径よりも小さい請求項１９に記載の歯科用シリンジ。
【請求項２１】
前記進退部材は、筒状に形成されるとともに、内径が前記弁部材の外径よりも大きく形成され、
前記弁部材および前記進退部材は、同軸上に配置され、当該弁部材の周囲に位置する空間に、筒状の当該進退部材が出入りする請求項１９に記載の歯科用シリンジ。
【発明の詳細な説明】
【技術分野】
【０００１】
本発明は、歯科用シリンジに関する。
【背景技術】
【０００２】
特許文献１には、手動レバーの操作により移動するロッドと、ロッドの移動時に液体回路を開放する弁体と、ロッドの移動に伴い容積が可変する吸引室とを備える歯科用シリンジが開示されている。
【先行技術文献】
【特許文献】
【０００３】
【特許文献１】実公昭５０−１９７５１号公報
【発明の概要】
【発明が解決しようとする課題】
【０００４】
歯科用シリンジは、歯科医師などにより操作され、この歯科用シリンジからは、水や空気などが噴出し、水や空気が患部に供給される。ここで、歯科用シリンジが大きいと、歯科用シリンジを操作する際の操作性が悪くなるおそれがある。
本発明の目的は、歯科用シリンジの小型化を図ることにある。
【課題を解決するための手段】
【０００５】
本発明が適用される歯科用シリンジは、液体流路内の空間を、液体の流れ方向上流側に位置する上流側空間と液体排出口につながる下流側空間とに仕切るとともに、操作者からの操作力を弁部材が受けて当該弁部材が一方向へ移動することで当該上流側空間から当該下流側空間への液体の移動が行なわれる弁機構と、前記一方向において前記弁部材の下流側端部よりも上流側に配置されるとともに、前記下流側空間に対して進退可能に設けられ、操作者からの操作力を受けて当該一方向へ移動して当該下流側空間の容積を減少させ、当該一方向とは反対方向へ移動して当該下流側空間の容積を増加させる進退部材と、を備え、操作者からの操作力を、前記進退部材を介さずに前記弁部材に伝えることができるように構成された歯科用シリンジである。
ここで、前記弁部材は、弁部材本体と、当該弁部材本体の外周部に取り付けられた環状部材とを備え、前記液体流路の内周面に対して前記環状部材の外周部が接触することで、前記上流側空間から前記下流側空間への液体の流れが規制されることを特徴とすることができる。
また、前記弁機構および前記進退部材を支持するとともに前記液体流路が内部に形成された支持部材をさらに備え、前記弁機構および前記進退部材が、前記支持部材の外表面から突出していないことを特徴とすることができる。
また、操作者からの操作力を受けて変位し前記進退部材および前記弁部材を前記一方向に向けて押圧する押圧部材をさらに備え、前記押圧部材が前記進退部材を押圧した後に、当該押圧部材が前記弁部材を押圧することを特徴とすることができる。
また、前記押圧部材には段差が設けられ、当該段差によって、前記進退部材が先に押圧され前記弁部材が後に押圧されることを特徴とすることができる。
【０００６】
他の観点から捉えると、本発明が適用される歯科用シリンジは、液体流路内の空間を、液体の流れ方向上流側に位置する上流側空間と液体排出口につながる下流側空間とに仕切るとともに、弁部材が一方向へ移動することで当該上流側空間から当該下流側空間への液体の移動が行なわれる弁機構と、前記一方向において前記弁部材の下流側端部よりも上流側に配置されるとともに、前記下流側空間に対して進退可能に設けられ、当該一方向へ移動して当該下流側空間の容積を減少させ、当該一方向とは反対方向へ移動して当該下流側空間の容積を増加させる進退部材と、を備え、前記一方向に向けて前記弁部材および前記進退部材を投影した場合に、当該弁部材の一部が、当該進退部材の外周部よりも外側に位置する歯科用シリンジである。
ここで、前記弁部材は、前記一方向における上流側に上流側端部を有し、前記進退部材は、当該一方向における下流側に下流側端部を有し、前記弁部材の前記上流側端部よりも、前記進退部材の前記下流側端部の方が、前記一方向において、下流側に位置することを特徴とすることができる。
また、前記進退部材は、前記一方向における上流側に上流側端部を有し、前記弁部材の前記上流側端部の前記一方向における位置と、前記進退部材の前記上流側端部の当該一方向における位置とが揃っており、または、前記弁部材の前記上流側端部よりも、前記進退部材の前記上流側端部の方が、前記一方向において、下流側に位置することを特徴とすることができる。
また、前記弁部材は、前記一方向に沿って配置された円筒体により構成され、前記進退部材は、当該円筒体の内部に収容されるとともに当該円筒体の軸方向に沿って進退することを特徴とすることができる。
また、前記液体流路内の液体の流れを規制する前記弁機構である液体用弁機構を押圧する押圧部を備え、回転中心を中心に回転し当該液体用弁機構を押圧する液体用押圧部材と、空気が流れる空気流路と、前記空気流路を通る空気の流れを規制する空気用弁機構と、前記空気用弁機構を押圧する押圧部を備え、回転中心を中心に回転し当該空気用弁機構を押圧する空気用押圧部材と、をさらに備え、前記液体用押圧部材の前記回転中心と前記押圧部との離間距離と、前記空気用押圧部材の前記回転中心と前記押圧部との離間距離とが異なることを特徴とすることができる。
また、前記液体流路に液体を流し前記空気流路に空気を流すと、当該液体流路および当該空気流路のうちの一方の流路の内圧の方が、他方の流路の内圧よりも高くなり、前記液体用弁機構および前記空気用弁機構のうちの前記一方の流路に設けられた一方の弁機構を押圧する一方の前記押圧部材の前記回転中心と前記押圧部との離間距離の方が、他方の押圧部材の前記回転中心と前記押圧部との離間距離よりも小さいことを特徴とすることができる。
【０００７】
他の観点から捉えると、本発明が適用される歯科用シリンジは、液体流路内の空間を、液体の流れ方向上流側に位置する上流側空間と液体排出口につながる下流側空間とに仕切るとともに、筒状の弁部材が一方向へ移動することで当該上流側空間から当該下流側空間への液体の移動が行なわれる弁機構と、前記一方向において前記弁部材の下流側端部よりも上流側に配置されるとともに当該弁部材の内部に収容され、且つ、前記下流側空間に対して進退可能に設けられ、当該一方向へ移動して当該下流側空間の容積を減少させ、当該一方向とは反対方向へ移動して当該下流側空間の容積を増加させる進退部材と、を備える歯科用シリンジである。
【０００８】
他の観点から捉えると、本発明が適用される歯科用シリンジは、液体流路を通る液体の流れを規制する液体用弁機構と、空気流路を通る空気の流れを規制する空気用弁機構と、前記液体用弁機構を押圧する押圧部を備え、回転中心を中心に回転し当該液体用弁機構を押圧する液体用押圧部材と、前記空気用弁機構を押圧する押圧部を備え、回転中心を中心に回転し当該空気用弁機構を押圧する空気用押圧部材と、を備え、前記液体用押圧部材の前記回転中心と前記押圧部との離間距離と、前記空気用押圧部材の前記回転中心と前記押圧部との離間距離とが異なる歯科用シリンジである。
ここで、前記液体流路に液体を流し前記空気流路に空気を流すと、当該液体流路および当該空気流路のうちの一方の流路の内圧の方が、他方の流路の内圧よりも高くなり、前記液体用弁機構および前記空気用弁機構のうちの前記一方の流路に設けられた一方の弁機構を押圧する一方の前記押圧部材の前記回転中心と前記押圧部との離間距離の方が、他方の押圧部材の前記回転中心と前記押圧部との離間距離よりも小さいことを特徴とすることができる。
また、前記液体用弁機構および前記空気用弁機構を支持するとともに前記液体流路および前記空気流路が内部に形成された支持部材をさらに備え、前記支持部材の長手方向における、前記液体用弁機構の位置と、当該長手方向における、前記空気用弁機構の位置とが異なることを特徴とすることができる。
他の観点から捉えると、本発明が適用される歯科用シリンジは、液体流路内の空間を、液体の流れ方向上流側に位置する上流側空間と液体排出口につながる下流側空間とに仕切るとともに、弁部材が一方向へ移動することで当該上流側空間から当該下流側空間への液体の移動が行なわれる弁機構と、前記一方向において前記弁部材の下流側端部よりも上流側に配置されるとともに、前記下流側空間に対して進退可能に設けられ、当該一方向へ移動して当該下流側空間の容積を減少させ、当該一方向とは反対方向へ移動して当該下流側空間の容積を増加させる進退部材と、を備え、前記弁部材は、前記一方向における上流側に上流側端部を有し、前記進退部材は、当該一方向における下流側に下流側端部を有し、前記弁部材の前記上流側端部よりも、前記進退部材の前記下流側端部の方が、前記一方向において、下流側に位置する歯科用シリンジである。
ここで、前記進退部材は、前記一方向における上流側に上流側端部を有し、前記弁部材の前記上流側端部の前記一方向における位置と、前記進退部材の前記上流側端部の当該一方向における位置とが揃っており、または、前記弁部材の前記上流側端部よりも、前記進退部材の前記上流側端部の方が、前記一方向において、下流側に位置することを特徴とすることができる。
また、前記弁部材は、前記一方向に沿って配置された円筒体により構成され、前記進退部材は、当該円筒体の内部に収容されるとともに当該円筒体の軸方向に沿って進退することを特徴とすることができる。
他の観点から捉えると、本発明が適用される歯科用シリンジは、液体流路の内面の内側に位置する空間を、液体の流れ方向上流側に位置する上流側空間と液体排出口につながる下流側空間とに仕切るとともに、当該下流側空間にその一部が位置する弁部材が移動することで、当該上流側空間から当該下流側空間への液体の移動が行なわれる弁機構と、前記下流側空間に対して進退可能に設けられ当該下流側空間の容積を増減させる進退部材であって、当該進退を行う際、前記弁部材の前記一部と前記液体流路の前記内面との間に位置する空間に出入りする進退部材と、を備える歯科用シリンジである。
ここで、前記弁部材および前記進退部材は、同軸上に配置され、且つ、当該弁部材の外径の方が、当該進退部材の外径よりも小さいことを特徴とすることができる。
また、前記進退部材は、筒状に形成されるとともに、内径が前記弁部材の外径よりも大きく形成され、前記弁部材および前記進退部材は、同軸上に配置され、当該弁部材の周囲に位置する空間に、筒状の当該進退部材が出入りすることを特徴とすることができる。
【発明の効果】
【０００９】
本発明によれば、歯科用シリンジの小型化を図れる。
【図面の簡単な説明】
【００１０】
【図１】歯科用シリンジの全体構成を示した斜視図である。
【図２】歯科用シリンジの内部構造を示した断面図である。
【図３】ノズル部の内部構造を示した断面図である。
【図４】水用レバーの斜視図である。
【図５】（Ａ）、（Ｂ）、（Ｃ）は、歯科用シリンジの支持部材を説明する図である。
【図６】液体用弁機構の構成を説明する図である。
【図７】（Ａ）〜（Ｃ）は、液体用弁機構の動きを説明する図である。
【図８】歯科用シリンジの比較例を示した図である。
【図９】（Ａ）〜（Ｄ）は、水用レバーの押圧部の詳細を説明する図である。
【図１０】（Ａ）、（Ｂ）は、歯科用シリンジの他の構成例を示した図である。
【図１１】歯科用シリンジの他の構成例を示した図である。
【図１２】（Ａ）、（Ｂ）は、弁部材、進退部材の動きを説明する図である。
【図１３】歯科用シリンジの比較例を示した図である。
【発明を実施するための形態】
【００１１】
以下、添付図面を参照して、本発明の実施の形態について説明する。
図１は、歯科用シリンジの全体構成を示した斜視図である。
本実施形態の歯科用シリンジ１には、円柱状に形成され操作者により把持されるシリンジ本体１０が設けられている。このシリンジ本体１０には、最も外側の部分に、筒状の外装部材１１が設けられている。
【００１２】
さらに、歯科用シリンジ１には、空気や液体の一例である水を噴出（供給）するノズル部２０が設けられている。このノズル部２０は、歯科用シリンジ１の先端部側に取り付けられている。さらに、歯科用シリンジ１には、操作者により押圧（操作）される水用レバー３０および空気用レバー４０が設けられている。
【００１３】
本実施形態では、シリンジ本体１０の図中右側の端部に対して、不図示のコネクタが取り付けられ、このコネクタを通じて、供給元（不図示）からの水、空気が歯科用シリンジ１に供給される。この水、空気は、シリンジ本体１０の内部を通った後、ノズル部２０の先端から噴出する。そして、噴出した水、空気は、患者の患部（歯）に対して供給される。
【００１４】
ここで、本実施形態の歯科用シリンジ１は、いわゆるスリーウェイシリンジであり、操作者が水用レバー３０のみをシリンジ本体１０に向けて押圧すると、水のみが噴出する。また、操作者が空気用レバー４０のみをシリンジ本体１０に向けて押圧すると、空気のみが噴出する。また、操作者が水用レバー３０、空気用レバー４０の両方をシリンジ本体１０に向けて押圧すると、空気と水の混合物が噴出する。
【００１５】
図２は、歯科用シリンジ１の内部構造を示した断面図である。図３は、ノズル部２０の内部構造を示した断面図である。図４は、水用レバー３０の斜視図である。
なお、図２では、歯科用シリンジ１のうちの水が通る部分を示しているが、空気が通る部分も、水が通る部分とほぼ同様に構成されている。
図２に示すように、歯科用シリンジ１の内部には、供給元からの水が通る液体流路５０が設けられている。この液体流路５０は、図３に示すようにノズル部２０の内部にも形成されており、液体流路５０を通った水は、最終的に、ノズル部２０の先端に位置する液体排出口５１（図３参照）から排出される。
【００１６】
図３に示すように、ノズル部２０の内部には円筒状の管部材５２が設けられており、液体流路５０は、この管部材５２の内部に形成されている。また、液体排出口５１は、この管部材５２の先端に位置する。
また、本実施形態では、図２に示すように、液体流路５０の途中に、液体流路５０における水の流れを規制し、また、水の流れを許容する液体用弁機構１００が設けられている。
【００１７】
本実施形態では、この液体用弁機構１００により、液体流路５０内の空間が、水の流れ方向上流側に位置する上流側空間５０Ａと、水の流れ方向下流側に位置する下流側空間５０Ｂとに仕切られる。
液体用弁機構１００には、一方向（図中矢印２Ａで示す方向（以下、一方向２Ａと称する））へ移動可能な弁部材１１０が設けられている。
【００１８】
本実施形態では、液体用押圧部材の一例としての水用レバー３０によって液体用弁機構１００の弁部材１１０が押圧される構成となっており、水用レバー３０が弁部材１１０を押圧して一方向２Ａへ移動させると、弁が開放される。これにより、上流側空間５０Ａから下流側空間５０Ｂへ水が移動する。下流側空間５０Ｂは、液体排出口５１（図３参照）につながっており、弁部材１１０が一方向２Ａへ移動すると、液体排出口５１から水が噴出する。
【００１９】
また、図２では図示を省略しているが、歯科用シリンジ１の内部には、供給元からの空気をノズル部２０の先端部まで流す空気流路が形成されている。さらに、空気流路の途中には、空気流路における空気の流れを規制し、また、空気の流れを許容する空気用弁機構が設けられている。
本実施形態では、空気用押圧部材の一例としての空気用レバー４０（図１参照）が、空気用弁機構に設けられた弁部材を押圧することで、弁が開放され、ノズル部２０の先端から空気が噴出する。
【００２０】
図３に示すように、ノズル部２０の内部且つ先端部には、固定部材７０が固定されている。固定部材７０には、ノズル部２０の軸方向に沿って延びる貫通孔７０Ａが形成されており、この貫通孔７０Ａに、管部材５２が通されている。
さらに、貫通孔７０Ａの内周面７０Ｄと管部材５２との間には、間隙７０Ｂが形成されている。さらに、内周面７０Ｄのうちの間隙７０Ｂに面する箇所には、空気流路を通ってきた空気が排出される排出口７０Ｃが設けられている。
【００２１】
本実施形態では、空気流路を通って流れてきた空気は、排出口７０Ｃを通じて、間隙７０Ｂに供給される。そして、この空気は、間隙７０Ｂを通った後、ノズル部２０の先端部から、歯科用シリンジ１の外部に噴出する。
なお、水と空気とが混合される場合（水と空気との混合物を噴出させる場合）は、ノズル部２０の先端に位置する液体排出口５１からも水が噴出する。
【００２２】
また、本実施形態の歯科用シリンジ１では、図２に示すように、シリンジ本体１０の内部に、空気用弁機構（図２では不図示）、液体用弁機構１００を支持する支持部材２００が設けられている。この支持部材２００には、空気流路（図２では不図示）および液体流路５０が形成されている。
【００２３】
空気用レバー４０（図２では不図示）、水用レバー３０は、回転中心（回転支点）８０を中心に回転可能に設けられている。
図１を参照して説明すると、空気用レバー４０、水用レバー３０は、図中破線で示す回転中心８０（シリンジ本体１０の軸方向に直交する方向に沿って延びる回転中心８０）を中心に回転可能に設けられている。
【００２４】
さらに、図２に示すように、水用レバー３０は、液体用弁機構１００を押圧する押圧部３２を備える。また、図２では図示を省略するが、空気用レバー４０も、空気用弁機構を押圧する押圧部を備える。
図４に示すように、水用レバー３０の押圧部３２には、液体用弁機構１００（図２参照）側に向かって突出する第１突出部３２Ａと、同じく液体用弁機構１００側に向かって突出する第２突出部３２Ｂとが設けられている。ここで、第２突出部３２Ｂは、第１突出部３２Ａよりも液体用弁機構１００側に位置する。
なお、図示を省略するが、空気用レバー４０の押圧部には、第２突出部３２Ｂは設けられておらず、第１突出部３２Ａのみ設けられている。
【００２５】
図５（Ａ）、（Ｂ）、（Ｃ）は、歯科用シリンジ１の支持部材２００を説明する図である。
なお、図５（Ａ）は、歯科用シリンジ１の上面図である。また、図５（Ｂ）は、支持部材２００の上面図である。言い換えると、図５（Ｂ）は、図２の矢印ＶＢ方向から支持部材２００を眺めた場合の図である。図５（Ｃ）は、図５（Ｂ）の矢印ＶＣ方向から支持部材２００を眺めた場合の図である。
【００２６】
図５（Ｂ）に示すように、本実施形態では、支持部材２００によって、液体用弁機構１００および空気用弁機構３００が支持されている。
本実施形態では、支持部材２００の長手方向における、液体用弁機構１００の位置と、支持部材２００の長手方向における、空気用弁機構３００の位置とが異なっている。
これにより、液体用弁機構１００の位置と空気用弁機構３００の位置とが揃っている場合に比べ、支持部材２００の短手方向における寸法を小さくでき、シリンジ本体１０（図５（Ａ）参照）の外径をより小さくできる。
【００２７】
さらに、本実施形態では、図５（Ｃ）に示すように、液体用弁機構１００および空気用弁機構３００が、支持部材２００の外表面から突出していない。これにより、本実施形態では、外装部材１１（図５（Ａ）参照）に対する支持部材２００の着脱を行いやすくなる。
本実施形態の歯科用シリンジ１では、オートクレーブ滅菌を行う際、シリンジ本体１０（図５（Ａ）参照）の軸方向に外装部材１１を移動させて、外装部材１１に対する支持部材２００の着脱を行う。
【００２８】
この際、液体用弁機構１００、空気用弁機構３００が支持部材２００から突出していると、液体用弁機構１００や空気用弁機構３００に対し、水用レバー３０に設けられた押圧部３２（図５（Ａ）参照）や、空気用レバー４０に設けられた押圧部４２が引っ掛かるなどして、外装部材１１に対する支持部材２００の着脱を行いにくくなるおそれがある。
本実施形態のように、液体用弁機構１００、空気用弁機構３００が突出していないと、上記引っ掛かりが生じにくくなり、外装部材１１に対する支持部材２００の着脱を行いやすくなる。
【００２９】
本実施形態では、図５（Ａ）に示すように、水用レバー３０の回転中心８０と押圧部３２との離間距離Ｌ１と、空気用レバー４０の回転中心８０と押圧部４２との離間距離Ｌ２とが異なっている。
具体的には、空気用レバー４０の回転中心８０と押圧部４２との離間距離Ｌ２の方が、水用レバー３０の回転中心８０と押圧部３２との離間距離Ｌ１よりも小さくなっている。
【００３０】
本実施形態の歯科用シリンジ１では、液体流路５０に水を流し、空気流路に空気を流した場合、空気流路の内圧の方が液体流路５０の内圧よりも高くなり、空気用弁機構３００の作動に要する力の方が、液体用弁機構１００の作動に要する力よりも大きくなる。
本実施形態のように、空気用レバー４０の回転中心８０と押圧部４２との離間距離Ｌ２の方が、水用レバー３０の回転中心８０と押圧部３２との離間距離Ｌ１よりも小さいと、離間距離Ｌ２の方が離間距離Ｌ１よりも大きい場合に比べ、空気用レバー４０の操作（空気用弁機構３００の作動）をより軽い力で行えるようになる。
【００３１】
付言すると、本実施形態では、図５（Ｂ）に示すように、支持部材２００の長手方向において、空気用弁機構３００の方が、液体用弁機構１００よりも回転中心８０側に位置している。このため、空気用レバー４０では、この回転中心８０により近い箇所に押圧部４２を配置し、水用レバー３０では、回転中心８０から離れた箇所に押圧部３２を配置している。
【００３２】
なお、液体流路５０の内圧の方が空気流路の内圧よりも高くなる場合は、液体用弁機構１００を空気用弁機構３００よりも回転中心８０側に配置することが好ましく、また、水用レバー３０の回転中心８０と押圧部３２との離間距離Ｌ１の方を、空気用レバー４０の回転中心８０と押圧部４２との離間距離Ｌ２よりも小さくすることが好ましい。
【００３３】
図６は、液体用弁機構１００の構成を説明する図である。図７（Ａ）〜（Ｃ）は、液体用弁機構１００の動きを説明する図である。
図６に示すように、液体用弁機構１００には、一方向２Ａへの移動が可能な弁部材１１０が設けられている。弁部材１１０は、一方向２Ａにおける上流側に上流側端部１１０Ａを有し、一方向２Ａにおける下流側に下流側端部１１０Ｂを有する。また、弁部材１１０は、円筒状に形成されている。
【００３４】
また、弁部材１１０は、円筒状に形成された弁部材本体１１１と、弁部材本体１１１の外周部に取り付けられた環状部材の一例としてのＯリング１１２とを備える。
さらに、弁部材１１０は、弁部材本体１１１の下流側端部１１０Ｂに形成された下流側開口１１１Ｂを塞ぐ塞ぎ部材１１３を備える。また、弁部材本体１１１の上流側端部１１０Ａには、上流側開口１１１Ａが設けられている。本実施形態では、水用レバー３０（図２参照）は、この上流側開口１１１Ａを通じ進退部材５００（詳細は後述）を押圧する。
【００３５】
さらに、本実施形態では、移動する弁部材１１０の案内を行う案内部材１４０が設けられている。案内部材１４０は、筒状に形成され、また、弁部材１１０の径方向における外側に位置する。
さらに、本実施形態では、支持部材２００の上面から下方に向かう断面円形の凹部２００Ａが形成され、案内部材１４０は、この凹部２００Ａの内部に収容されている。
【００３６】
支持部材２００に形成された凹部２００Ａには、底部側開口２００Ｂ、上部側開口２００Ｃが設けられている。
供給元からの水は、底部側開口２００Ｂを通って凹部２００Ａ内に供給される。また、凹部２００Ａ内の水は、上部側開口２００Ｃを通って液体排出口５１（図３参照）に向かう。
【００３７】
さらに、本実施形態では、案内部材１４０の内側が液体流路５０となっている。そして、本実施形態では、この案内部材１４０の内周面（液体流路５０の内周面）に対し、弁部材１１０が有するＯリング１１２の外周部が接触する。
これにより、弁が閉じられた形となり、上流側空間５０Ａから下流側空間５０Ｂへの水の流れが規制される。
【００３８】
さらに、本実施形態では、図６に示すように、進退部材５００が設けられている。
進退部材５００は、下流側空間５０Ｂに対して進退可能に設けられ、下流側空間５０Ｂの容積を増減させる。具体的には、操作者からの操作力を受けて進退部材５００が一方向２Ａへ移動すると下流側空間５０Ｂの容積は減少する。また、進退部材５００が、一方向２Ａとは反対方向へ移動すると下流側空間５０Ｂの容積は増加する。
さらに説明すると、本実施形態では、進退部材５００は、円筒状に形成された弁部材１１０の内部に収容され、弁部材１１０の軸方向に沿って進退して、下流側空間５０Ｂの容積を増減させる。
【００３９】
また、本実施形態では、一方向２Ａとは反対方向へ弁部材１１０を付勢する第１付勢部材Ｓ１が設けられている。また、一方向２Ａとは反対方向へ進退部材５００を付勢する第２付勢部材Ｓ２が設けられている。
なお、第１付勢部材Ｓ１および第２付勢部材Ｓ２の各々は、コイルばねにより構成されている。
【００４０】
進退部材５００は、一方向２Ａにおける下流側に下流側端部５００Ｂを有し、一方向２Ａにおける上流側に上流側端部５００Ａを有する。
そして、本実施形態では、一方向２Ａにおける位置を比較した場合、弁部材１１０の上流側端部１１０Ａよりも、進退部材５００の下流側端部５００Ｂの方が下流側に位置する。
また、本実施形態では、弁部材１１０の上流側端部１１０Ａの一方向２Ａにおける位置と、進退部材５００の上流側端部５００Ａの一方向２Ａにおける位置とが揃っている。
なお、一方向２Ａにおいて、弁部材１１０の上流側端部１１０Ａよりも、進退部材５００の上流側端部５００Ａの方を下流側に位置させてもよい。
【００４１】
弁部材１１０の上流側端部１１０Ａよりも、進退部材５００の下流側端部５００Ｂの方を下流側に位置させると、一方向２Ａにおいて、弁部材１１０と進退部材５００とが重なる形となり、弁部材１１０と進退部材５００とが重なっていない場合に比べ、一方向２Ａにおける歯科用シリンジ１の寸法をより小さいものにできる。言い換えると、歯科用シリンジ１の小型化を図れる。
【００４２】
同様に、弁部材１１０の上流側端部１１０Ａの一方向２Ａにおける位置と、進退部材５００の上流側端部５００Ａの一方向２Ａにおける位置とが揃っている場合、又は、弁部材１１０の上流側端部１１０Ａよりも進退部材５００の上流側端部５００Ａの方が下流側に位置する場合、進退部材５００が弁部材１１０から突出しない形となり、進退部材５００が弁部材１１０から突出する場合に比べ、歯科用シリンジ１の小型化を図れる。
【００４３】
図７（Ａ）〜（Ｃ）を参照し、進退部材５００および液体用弁機構１００の動きを説明する。
歯科用シリンジ１から水を噴出させる場合は、まず、押圧部材、液体用押圧部材の一例としての水用レバー３０（図４参照）が、操作者からの操作力を受けて変位する。より具体的には、水用レバー３０が回転中心８０を中心に反時計回りへ回転する。
これにより、水用レバー３０の押圧部３２により進退部材５００および弁部材１１０が押圧され、進退部材５００および弁部材１１０が、一方向２Ａ（図７（Ａ）参照）へ移動する。
【００４４】
より具体的には、水用レバー３０が操作者により操作されると、まず、水用レバー３０の押圧部３２に設けられた第２突出部３２Ｂ（図４参照）が、進退部材５００を押圧し、図７（Ｂ）に示すように、進退部材５００が一方向２Ａへ移動する。これにより、下流側空間５０Ｂの容積が減少する。
次いで、押圧部３２に設けられた第１突出部３２Ａ（図４参照）が、弁部材１１０を押圧し、図７（Ｃ）に示すように、弁部材１１０が一方向２Ａへ移動する。
【００４５】
弁部材１１０が一方向２Ａへ移動すると、図７（Ｃ）に示すように、弁部材１１０に設けられたＯリング１１２が、案内部材１４０の下流側端部１４０Ｂよりも一方向２Ａにおける下流側に位置するようになり、下流側端部１４０ＢとＯリング１１２との間に間隙が形成される。これにより、弁が開放された状態となり、上流側空間５０Ａから下流側空間５０Ｂへ水が移動する。
【００４６】
より具体的には、本実施形態では、案内部材１４０の下流側端部１４０Ｂ（図７（Ｃ）参照）と、Ｏリング１１２との間に間隙が形成されると、この間隙を通って、弁部材本体１１１と案内部材１４０との間に水が入り込む。
その後、この水は、案内部材１４０に形成された貫通孔１４０Ｈを通って、案内部材１４０の外側に流れ、その後、この水は、凹部２００Ａに形成された上部側開口２００Ｃを通って下流側へ流れるようになる。
【００４７】
次に、水用レバー３０が退避する際の、進退部材５００および液体用弁機構１００の動きを説明する。
水用レバー３０の退避が開始されると、弁部材１１０および進退部材５００が、図７（Ｃ）に示す状態から上方へ移動する。付言すると、第１付勢部材Ｓ１によって、下方から弁部材１１０が押圧されて、進退部材５００および弁部材１１０は、一方向２Ａとは反対方向へ移動する。
これにより、弁部材１１０のＯリング１１２が、案内部材１４０の内周面に接触し、上流側空間５０Ａから下流側空間５０Ｂへの水の流れが遮断される。
【００４８】
その後、本実施形態では、弁部材１１０が予め定められた上昇位置まで達すると、図７（Ｂ）に示すように、案内部材１４０に設けられた移動規制部１４０Ｓに対して弁部材１１０が突き当たり、弁部材１１０の移動が停止する。
そして、進退部材５００がさらに退避すると、図７（Ａ）に示すように、進退部材５００が上方へ移動する（一方向２Ａとは反対方向へ移動する）。
【００４９】
これにより、下流側空間５０Ｂの容積が増加する（下流側空間５０Ｂが減圧される）。下流側空間５０Ｂの容積が増加すると、下流側空間５０Ｂ内に位置する水が、歯科用シリンジ１の内部側に引き込まれるようになり、液体排出口５１（図３参照）からの意図しない水の排出が起きにくくなる。
より具体的には、本実施形態では、進退部材５００が、図７（Ａ）に示すように上方へ移動すると、弁部材１１０の内部が減圧され、弁部材１１０の外部の水が貫通孔１１０Ｈ（図７（Ａ）参照）を通じて弁部材１１０に内部に入り込む。これに応じ、下流側空間５０Ｂ内に位置する水が、歯科用シリンジ１の内部側に引き込まれる。
【００５０】
ここで、液体排出口５１の近くに水が留まっていると、液体排出口５１から水が垂れやすくなる。また、液体排出口５１の近くに水が留まっていると、空気のみを噴出しようとする際に、この空気に水が混ざるおそれがある。
本実施形態のように、下流側空間５０Ｂ内の水を歯科用シリンジ１の内部側に引き込むと、液体排出口５１からの意図しない水の排出が起きにくくなる。
【００５１】
さらに、本実施形態では、操作者からの操作力（水用レバー３０からの操作力）を、進退部材５００を介さずに弁部材１１０に伝えることができ、これにより、下流側空間５０Ｂ内の減圧度合いを高められるようになっている。
【００５２】
本実施形態では、図６に示すように、一方向２Ａに向けて弁部材１１０および進退部材５００を投影した場合に（一方向２Ａと直交する仮想平面Ｈに対して弁部材１１０および進退部材５００を投影した場合に）、弁部材１１０の一部が、進退部材５００の外周部５００Ｅよりも外側に位置する。
これにより、操作者からの操作力を、進退部材５００を介さずに弁部材１１０に伝えることができ、進退部材５００を介して弁部材１１０に操作力を伝える場合に比べ、下流側空間５０Ｂ内の減圧度合いを高められる。
【００５３】
より具体的には、本実施形態では、弁部材１１０は、一方向２Ａに沿って配置された円筒体により構成され、進退部材５００は、この円筒体の内部に収容されている。言い換えると、弁部材１１０は、一方向２Ａに沿って配置された円筒体により構成され、進退部材５００は、この円筒体の外周部よりも、円筒体の径方向における内側に位置する。
この場合、弁部材１１０を押圧する際、弁部材１１０のうち、進退部材５００よりも外側（径方向における外側）に位置する部分を直接押圧できるようになる。
そして、この場合、進退部材５００に突出部（後述）を設けずにすみ、下流側空間５０Ｂの減圧度合いを高められる。
【００５４】
図８は、歯科用シリンジ１の比較例を示した図である。
この比較例では、本実施形態と同様に、下流側空間５０Ｂに対して進退する進退部材５００、水の流れを許容しあるいは遮断する液体用弁機構１００が設けられている。
この液体用弁機構１００には、球体により構成された弁部材１１０が設けられている。さらに、この比較例では、進退部材５００に、弁部材１１０に向かって突出する突出部５９０が設けられている。
【００５５】
比較例のこの歯科用シリンジ１では、まず、水用レバー３０により、進退部材５００が一方向２Ａへ押圧されて移動する。その後、突出部５９０が弁部材１１０に突き当たって、弁部材１１０が一方向２Ａへ移動する。
これにより、弁が開放され、上流側空間５０Ａから下流側空間５０Ｂへ水が流れるようになる。下流側空間５０Ｂへ流れた水は、開口（不図示）を通って、液体排出口（不図示）へ向かう。
【００５６】
一方、弁を閉じる場合は、進退部材５００が上方へ移動し、これに伴い弁部材１１０も上方へ移動する。弁部材１１０が予め定められた箇所まで上昇すると、弁部材１１０が環状のシール部材８００に接触して、弁が閉じられる。
その後、進退部材５００がさらに上昇する。進退部材５００が上昇するとき、上記と同様、下流側空間５０Ｂの容積が増加し（下流側空間５０Ｂが減圧され）、歯科用シリンジ１の内部側に水が引き込まれる。
【００５７】
この比較例では、進退部材５００および弁部材１１０を一方向２Ａへ投影した場合に、進退部材５００の外周部５００Ｅよりも内側に、弁部材１１０が位置しており、水用レバー３０で、弁部材１１０を直接押圧することはできない。
このため、この比較例では、進退部材５００に、突出部５９０を設け、この突出部５９０で弁部材１１０を押圧する。このように突出部５９０を設けた構成では、下流側空間５０Ｂを減圧する際、この突出部５９０の体積分だけ、減圧度合いが低下する。
これに対し、本実施形態のように、弁部材１１０の一部が、進退部材５００の外周部５００Ｅよりも外側に位置する構成では、突出部５９０を設けずにすみ、減圧度合いを高められる。
また、この比較例では、歯科用シリンジ１の大型化を招きやすい。比較例における歯科用シリンジ１では、上記のとおり、下流側空間５０Ｂを減圧する際、突出部５９０の体積分だけ、減圧度合いが低下する。この減圧度合いの低下を抑制するためには、例えば、下流側空間５０Ｂの容積（突出部５９０の周囲に位置する空間の容積）を増加させればよいが、この場合、歯科用シリンジ１の大型化を招く。また、突出部５９０が存在する構成であると、この突出部５９０が設けられている分だけ、歯科用シリンジ１が大型化する。
これに対し、本実施形態では、突出部５９０を設けずにすみ、歯科用シリンジ１の大型化を抑制できる（小型化を図れる）。
【００５８】
また、比較例の構成では、環状のシール部材８００の一方側から球状の弁部材１１０を接触させる構成であり、弁部材１１０とシール部材８００とが同軸上に位置しない状態で、弁部材１１０とシール部材８００とが接触する事態も起こりうる。かかる場合、シール性が低下する。
【００５９】
これに対し、本実施形態の構成では、図６に示すように、筒状の案内部材１４０の内側にＯリング１１２が入る形となり、案内部材１４０とＯリング１１２とが同軸上に位置しやすくなる。言い換えると、案内部材１４０、Ｏリング１１２の径方向における両者の位置ずれが起きにくくなる。これにより、案内部材１４０の内周面にＯリング１１２の外周部をより確実に密着させられようになり、液体用弁機構１００におけるシールをより確実に行える。
【００６０】
図９（Ａ）〜（Ｄ）は、水用レバー３０の押圧部３２の詳細を説明する図である。なお、図９（Ａ）〜（Ｄ）では、図２のＩＸ−ＩＸ線における歯科用シリンジ１の断面を示している。
図９（Ａ）に示すように、水用レバー３０の押圧部３２には、第１突出部３２Ａと、第２突出部３２Ｂとが設けられている。図４にて説明したように、第２突出部３２Ｂは、第１突出部３２Ａよりも液体用弁機構１００側に位置する。
さらに、図９（Ａ）に示すように、第２突出部３２Ｂは、押圧部３２の幅方向における中央部に位置するとともに、第１突出部３２Ａよりも幅狭に形成されている。
【００６１】
本実施形態では、第１突出部３２Ａ、第２突出部３２Ｂが設けられた結果、押圧部３２に段差が設けられた構成となる。本実施形態では、この段差によって、進退部材５００が先に押圧され、弁部材１１０が後に押圧される。
具体的には、本実施形態では、水用レバー３０が液体用弁機構１００に向かって移動すると、図９（Ｂ）、（Ｃ）に示すように、第２突出部３２Ｂが進退部材５００に接触して進退部材５００を押圧する。その後、本実施形態では、図９（Ｃ）、（Ｄ）に示すように、弁部材１１０に第１突出部３２Ａが接触して、弁部材１１０が移動する。
【００６２】
なお、上記では、押圧部３２に段差を設けることで、進退部材５００の押圧タイミングと弁部材１１０の押圧タイミングとをずらすようにしたが、図１０（歯科用シリンジの他の構成例を示した図）の（Ａ）に示すように、進退部材５００の一部を弁部材１１０から突出させることで、進退部材５００の押圧タイミングと弁部材１１０の押圧タイミングとをずらしてもよい。
また、図１０（Ｂ）に示すように、支持部材２００から弁部材１１０の一部が突出し、弁部材１１０から進退部材５００の一部が突出する構成としてもよい。
【００６３】
ここで、図１０（Ａ）に示す構成例では、水用レバー３０に第２突出部３２Ｂ（図９（Ａ）参照）を設けないでも、進退部材５００、弁部材１１０の押圧を行える。
また、図１０（Ｂ）に示す構成例では、第１突出部３２Ａ、第２突出部３２Ｂが設けられておらず、水用レバー３０の押圧部３２が平坦であっても、進退部材５００、弁部材１１０の押圧を行える。また、図１０（Ｂ）に示す構成例では、水用レバー３０を省略し、操作者の指で進退部材５００、弁部材１１０を直接押圧する構成であっても、進退部材５００の押圧タイミングと弁部材１１０の押圧タイミングとをずらすことができる。
【００６４】
なお、上記では、液体用弁機構１００を主に説明したが、空気用弁機構３００（図５（Ｂ）参照）では、進退部材５００が設けられておらず、弁部材１１０の移動のみが行われて、開弁および閉弁が行われる。
【００６５】
図１１は、歯科用シリンジ１の他の構成例を示した図である。
なお、図１１では、水用の弁機構の部分を説明するが、空気用の弁機構も水用の弁機構と同様に構成されている。また、図１１では、水用レバー３０の図示を省略している。
ここで、この構成例では、進退部材５００の上面が平面となっており（進退部材５００のみを押圧する構成となっており）、第２突出部３２Ｂ（図４参照）が設けられておらず、第１突出部３２Ａのみが設けられた水用レバー３０が用いられることになる。
【００６６】
図１１に示すこの構成例では、弁部材１１０の外径が、図６等にて示した構成例における外径よりも小さくなっている。これにより、この構成例では、弁部材１１０に作用する荷重（上流側空間５０Ａ内の水から、弁部材１１０の下面１１０Ｅに作用する荷重）が小さくなり、図６にて示した構成例よりも、弁の開放に要する操作荷重が小さくなる。
【００６７】
また、この構成例では、進退部材５００の外径（最大外径）Ｄ１が、弁部材１１０の外径（最大外径）Ｌ１よりも大きくなっている。より具体的には、この構成例では、弁部材１１０および進退部材５００は、同軸上に配置され、さらに、進退部材５００の外径Ｄ１が、弁部材１１０の外径Ｌ１よりも大きくなっている。
さらに、この構成例では、進退部材５００は、筒状に形成され、進退部材５００の内径Ｄ２が、弁部材１１０の外径Ｌ１よりも大きくなっている。さらに、この構成例では、弁部材１１０の周囲に位置する空間ＳＰに、筒状のこの進退部材５００が出入りする構成となっている（詳細は後述）。
【００６８】
さらに、この構成例でも、弁部材１１０、進退部材５００の外周部に、Ｏリング１１２が取り付けられている。
また、移動する進退部材５００の案内を行う第１案内部材５０１が設けられている。さらに、移動する弁部材１１０の案内を行う第２案内部材５０２が設けられている。
さらに、図示は省略するが、この構成例でも、弁部材１１０を図中上方へ付勢する第１付勢部材が設けられている。また、進退部材５００を図中上方へ付勢する第２付勢部材が設けられている。なお、第１付勢部材および第２付勢部材の各々は、例えば、コイルばねにより構成される。
【００６９】
第１案内部材５０１は、筒状に形成され、上端および下端が開放されている。また、第１案内部材５０１には、第１案内部材５０１の内部と外部とを接続するための貫通孔５０１Ａが形成されている。
第２案内部材５０２は、中心に貫通孔５０２Ｂを備え円盤状に形成された円盤状部５０２Ａと、円盤状部５０２Ａの径方向における中央から上方に向かって突出した突出部５０２Ｃとを備える。突出部５０２Ｃには、弁部材１１０を通すための貫通孔５０２Ｘ、および、水を通すための貫通孔５０２Ｙが形成されている。
【００７０】
さらに、この構成例では、円盤状部５０２Ａの貫通孔５０２Ｂを通って、弁部材１１０が図中上方に向かって延びており、弁部材１１０の上端部１１０Ｘ（一部）が、下流側空間５０Ｂ内に位置する構成となっている。
さらに、この構成例では、貫通孔５０２Ｂの内周面に対して、弁部材１１０のＯリング１１２が接触することで、上流側空間５０Ａから下流側空間５０Ｂへの水の流れが規制されるようになっている。
【００７１】
付言すると、この構成例では、上記と同様、液体流路５０の途中に、液体流路５０における水の流れを規制し、また、水の流れを許容する液体用弁機構１００が設けられている。
この液体用弁機構１００では、上記と同様、弁部材１１０を用い、液体流路５０の内面（内周面）５８の内側に位置する空間を、液体の流れ方向上流側に位置する上流側空間５０Ａと、液体排出口５１（図３参照）につながる下流側空間５０Ｂとに仕切る。
そして、この構成例では、弁部材１１０が、図１１の下方へ移動することで、貫通孔５０２Ｂの内周面と、弁部材１１０のＯリング１１２との間に隙間が形成され、これにより、上流側空間５０Ａから下流側空間５０Ｂへ水が移動するようになる。
【００７２】
図１２は、弁部材１１０、進退部材５００の動きを説明する図である。
図１２（Ａ）は、進退部材５００が、水用レバー３０（図１２では不図示）により押圧されて、進退部材５００が弁部材１１０側へ進出した状態を示した図である。
本実施形態では、上記と同様、水用レバー３０がユーザにより操作されて、水用レバー３０が進退部材５００に向かって進出する。これにより、進退部材５００が、弁部材１１０側へ進出する。進退部材５００が弁部材１１０側へ進出すると、上記と同様、下流側空間５０Ｂの容積が減少する。
【００７３】
その後、この構成例では、図１２（Ｂ）に示すように、進退部材５００がさらに進出する。これにより、弁部材１１０が移動し、弁部材１１０のＯリング１１２が、円盤状部５０２Ａに形成された貫通孔５０２Ｂの内周面から離れるようになる。そして、この場合、弁が開放された状態となり、上流側空間５０Ａから下流側空間５０Ｂへ水が移動するようになる。
【００７４】
弁が閉じられる際には、上記とは逆の動作が行われる。
具体的には、まず、図１２（Ｂ）にて示した状態から、進退部材５００が上方へ移動する。これに伴い、弁部材１１０も上方へ移動し、図１２（Ａ）の状態となる。即ち、円盤状部５０２Ａに形成された貫通孔５０２Ｂの内周面に、弁部材１１０のＯリング１１２が接触し、弁が閉じられた状態となる。
その後、本実施形態では、進退部材５００がさらに上昇する。このとき、この構成例でも、下流側空間５０Ｂの容積が増加し、下流側空間５０Ｂが減圧される。これにより、この構成例でも、下流側空間５０Ｂ内に位置する水が、歯科用シリンジ１の内部側に引き込まれる。
【００７５】
ここで、この構成例では、上記と同様、下流側空間５０Ｂに対して進退部材５００が進退するが、この進退が行われる際、弁部材１１０の上端部１１０Ｘ（図１１参照）と、液体流路５０の内面５８との間に位置する環状の空間ＳＰ（以下、「環状空間ＳＰ」と称する）に対し、進退部材５００が出入りする。
【００７６】
より具体的には、図１２（Ａ）に示すように、下流側空間５０Ｂに対して進退部材５００が進出する際には、環状空間ＳＰ内に、進退部材５００が入り込むようになる。また、これとは逆に、下流側空間５０Ｂから進退部材５００が退避する際には、図１１に示すように、環状空間ＳＰから進退部材５００が出るようになる。
本実施形態のように、環状空間ＳＰに対して進退部材５００が出入りする構成では、環状空間ＳＰに対して進退部材５００が出入りしない構成に比べ、歯科用シリンジ１の小型化を図れる。
【００７７】
ここで、例えば、図１３（歯科用シリンジ１の比較例を示した図）に示すように、例えば、進退部材５００が円盤状に形成され、進退部材５００が、環状空間ＳＰ内に出入りしない構成の場合、この進退部材５００の厚み分だけ、歯科用シリンジ１の寸法（図中上下方向における寸法）が大きくなる。
これに対し、図１１にて示した、本実施形態の構成例のように、環状空間ＳＰ内に進退部材５００が出入りする構成であると、進退部材５００の上方への突出量を減らせるようになり、歯科用シリンジ１の小型化を図れる。
【００７８】
なお、進退部材５００が環状空間ＳＰに「出入りする」とは、環状空間ＳＰに進退部材５００が全く入っていない状態から、環状空間ＳＰに対して進退部材５００が出入りする態様の他、一部が環状空間ＳＰ内に既に入り込んだ状態の進退部材５００が、環状空間ＳＰに対して出入りする態様も含む概念である。
本実施形態の構成では、進退部材５００が完全に退避した状態でも、進退部材５００の一部が環状空間ＳＰ内に入っており、本実施形態では、進退部材５００の一部が環状空間ＳＰ内に入った状態で、環状空間ＳＰに対して進退部材５００が出入りする。
また、これに限らず、進退部材５００が環状空間ＳＰ内に全く入っていない状態で、環状空間ＳＰに対して進退部材５００が出入りする構成としてもよい。
また、環状空間ＳＰに「入る」とは、進退部材５００の全ての部分が環状空間ＳＰに入る態様に限られず、進退部材５００の一部のみが環状空間ＳＰに入る態様も含む。
【符号の説明】
【００７９】
１…歯科用シリンジ、３０…水用レバー、３２…押圧部、４０…空気用レバー、４２…押圧部、５０…液体流路、５０Ａ…上流側空間、５０Ｂ…下流側空間、５１…液体排出口、８０…回転中心、１００…液体用弁機構、１１０…弁部材、１１０Ａ…上流側端部、１１０Ｂ…下流側端部、１１１…弁部材本体、１１２…Ｏリング、２００…支持部材、３００…空気用弁機構、５００…進退部材、５００Ａ…上流側端部、５００Ｂ…下流側端部、５００Ｅ…外周部、Ｌ１…離間距離、Ｌ２…離間距離
【図１】
2018175280.tif 000003
【図２】
2018175280.tif 000004
【図３】
2018175280.tif 000005
【図４】
2018175280.tif 000006
【図５】
2018175280.tif 000007
【図６】
2018175280.tif 000008
【図７】
2018175280.tif 000009
【図８】
2018175280.tif 000010
【図９】
2018175280.tif 000011
【図１０】
2018175280.tif 000012
【図１１】
2018175280.tif 000013
【図１２】
2018175280.tif 000014
【図１３】
2018175280.tif 000015